(57)【要約】【課題】下部囲い式椅子型ポ−タブルトイレに、座位のまま水平に上昇した後、そのまま前傾して用便後の若干支援する機能を付加する。【解決手段】ポ−タブルトイレ１のフレ−ムを、小形アクチュエ−タ−３で作動する４節平行リンク機構６を介した脚部４と座部５とで構成し、この４節平行リンク機構６の後辺リンク１２を作動することで、底辺リンク７を前進のみさせた後、前傾前進のみさせるので、上辺リンク側の座部５の便座２３は、水平状態で上ってから前傾する。よって用便後の使用者は、背もたれ１９の前かがみも加わり押し出される支援をされる。【選択図】　　　　図１
2004105629.tif 000002
【特許請求の範囲】
【請求項１】
ポ−タブルトイレ用フレ−ムを脚部と座部とで構成し、これらの間に、小形アクチュエ−タ−により作動する４節回転機構を介在させたポ−タブルトイレ用フレ−ムにおいて、
前記４節回転機構を４節平行リンク機構とし、該４節平行リンク機構の底辺リンクを規制リンクとし、上辺リンクを座部側として、該座部を水平状態を保ちながら若干の前進かつ上昇させるようにし、該座部が座位にある所定の位置に上昇すると該４節平行リンク機構ユニットを前傾させることにより、座位のまま座部を前傾させるようにして、座部のゆるやかな作動としたことを特徴とするポ−タブルトイレ用フレ−ム。
【請求項２】
前記４節平行リンク機構の前辺リンクを下方に延長して回動自在に支持すると共に、後辺リンクに小形アクチュエ−タ−を連結し、しかも、底辺リンクを水平ガイドと、これに続く前方下向の前傾ガイドとにより規制するようにした請求項１に記載のポ−タブルトイレ用フレ−ム。
【請求項３】
請求項１または２のポ−タブルトイレを背もたれ付の下部囲い式椅子型ポ−タブルトイレにしたポ−タブルトイレ用フレ−ム。
【発明の詳細な説明】
【０００１】
【発明の属する技術分野】
本発明は、ポ−タブルトイレ用フレ−ムに関し、詳しくは下部囲い式椅子型ポ−タブルトイレのフレ−ムに関し、更に詳しくは家具調椅子型ポ−タブルトイレのフレ−ムに関するものである。
【０００２】
【従来の技術】
一般に、トイレ室での排便や排尿が困難な人にはポ−タブルトイレが用いられている。現在、ポ−タブルトイレは、腰掛け（椅子に座った姿勢、すなわち、座位）高さになっている筒状本体、バケツ、便座および便蓋などをすべてプラスチック製とした、いわゆる標準型ポ−タブルトイレや、天然木ないし合板を使った家具調ポ−タブルトイレ等、各種のポ−タブルトイレが普及している。
【０００３】
これらのポ−タブルトイレには、それぞれ特徴を有しているが、例えば、前記木製家具調椅子型ポ−タブルトイレでは、肘掛けや背もたれが腰掛け着座部分を大きく囲っていることから、使用者の起立・着座に安定性・安心感をもたせており、コモ−ドチェア構造による長時間の排便に好都合であり、また、足を引いて起立する空間があり、殊に、部屋の家具雰囲気にマッチして、より高級感を出しており、ひいては、基本的な用便の機能は標準的なトイレ部で満たし、家具調部を可及的に簡素化し、一般の椅子と同様シンプルな美観を出し、かつ、持運びや移動を容易にしている、という特徴をもっている。
【０００４】
本出願人は、かかる特徴を生かした木製家具調椅子型ポ−タブルトイレを提供し、好評を得ている（例えば、実用新案登録第２５４７４７９号公報参照）。
【０００５】
ところで、本出願人は、かかる木製家具調椅子型ポ−タブルトイレに、使用者の着座・起立に対し機械力による若干の支援をする装置を付加することにより、該使用者の自立を促し、ポ−タブルトイレ特有の更なる利便性を発揮させることに着目し、次のような提案をしている（特開２００１−１９０４４８号公報）。
【０００６】
すなわち、図４において、左右１対の、前後方向に長尺の水平支持体５１に、前後１対の脚部用支柱５２、５２を立設して脚部５３を構成し、該脚部５３の左右側面を覆う側板５４、肘掛け５５、および、背もたれ５６から座部５７を構成し、該座部５７に、バケツおよび便座からなるプラスチック製トイレ部を設け、該座部５７を、左右１対の４節不等辺リンク機構（両テコ機構）５８を介して、前記脚部５３に載置・連結すると共に、前記脚部５３の内部後方フレ−ムに立設した小形電動アクチュエ−タ−５９により、前記座部５７を上昇させながら前傾させることにより、使用者の起立・着座に対し若干の介助・支援を行うようにした木製家具調椅子型ポ−タブルトイレを提案している。
【０００７】
これにより、特に、高齢者等の使用者の排便意思を削ぐことなく、着座・起立に対し若干の介助・支援を機械力により行い、しかも、小形電動アクチュエ−タ−５９をポ−タブルトイレの内部後方に設けたので、若干の介助・支援のための小ストロ−クとマッチさせる特徴をもっている。
【０００８】
【発明が解決しようとする課題】
ところが、かかる提案の家具調椅子型ポ−タブルトイレでは、その後、次のような点が指摘された。
【０００９】
この４節不等辺リンク機構５８では、脚部５３を固定し、これに平行に座部５７を設け、これらを前方の短尺リンクと後方の長尺リンクとをピン結合した機構であるため、前方の短尺リンクと後方の長尺リンクとはそれぞれ脚部５３を中心としてテコ運動となることから、座部５７は尻の持上げ動作と前進動作とが同時合成運動となり、腰や背部、股、膝の関節部分の関節抱縮や痛みのある使用者であって、しかも、少なくとも用便後の初期動作の際、水平状態で持上げ運動のみの支援を欲する使用者にとっては、不満であるとの指摘があった。
【００１０】
また、座部５７の運動が、前記のように同時合成運動であって、用便後の起立時に、いきなり、尻が前方へ向け持上げられ、かつ、背もたれ５６により突き出されるので、使用者にとって不安ないし恐怖がある、との指摘もなされた。
【００１１】
なお、据置き式トイレ、つまりトイレ室の洋式トイレに関し、便座の基部側をガイドレ−ルにより昇降させ、便座が水平状で上昇した位置に、このガイドレ−ルに傾斜部を設け、使用者が立ったままで着座したり、起立したりできるように、便座がこの傾斜部に係止してその前部を低くし、後部を高くするようにした便座の昇降装置が提案されている（特公平３−２４２１３号公報参照）。
【００１２】
この便座の昇降装置に関する提案によると、足の弱い老人、病弱者、身体障害者等の使用者が用便するとき容易に着座したり、起立できる、とされている。
【００１３】
しかしながら、かかる洋式トイレの便座の昇降装置に関する提案では、据置き式洋式トイレには、通常、背もたれがなく、しかも、この提案ではガイドレ−ルが背部に立設されていることから、便座を水平から前傾させても、使用者にとって押し出される感はあるものの、現実には押し出し力が働かず、ひいては、この提案はポ−タブルトイレ用フレ−ムには採用できない。
【００１４】
そこで本発明は、本出願人の提案した前記木製家具調椅子型ポ−タブルトイレの前記指摘の不都合に鑑み案出されたもので、特に、小形アクチュエ−タ−の作動のスピ−ドを遅らすのではなく、発想を変え、上昇行程を加えることにより、スロ−モ−ション化を欲する使用者の要求に応えようとするもので、その要旨とするところは、次のとおりである。
【００１５】
【課題を解決するための手段】
すなわち、本発明は、１）ポ−タブルトイレ用フレ−ムを脚部と座部とで構成し、これらの間に、小形アクチュエ−タ−により作動する４節回転機構を介在させたポ−タブルトイレ用フレ−ムにおいて、前記４節回転機構を４節平行リンク機構とし、該４節平行リンク機構の底辺リンクを規制リンクとし、上辺リンクを座部側として、該座部を水平状態を保ちながら若干の前進かつ上昇させるようにし、該座部が座位にある所定の位置に上昇すると該４節平行リンク機構ユニットを前傾させることにより、座位のまま座部を前傾させるようにして、座部のゆるやかな作動としたことを特徴とするポ−タブルトイレ用フレ−ムにあり、また、２）前記４節平行リンク機構の前辺リンクを下方に延長して回動自在に支持すると共に、後辺リンクに小形アクチュエ−タ−を連結し、しかも、底辺リンクを水平ガイドと、これに続く前方下向の前傾ガイドとにより規制するようにした請求項１に記載のポ−タブルトイレ用フレ−ムにあり、また、３）請求項１または２のポ−タブルトイレを背もたれ付の下部囲い式椅子型ポ−タブルトイレにしたポ−タブルトイレ用フレ−ムを要旨とするものである。
【００１６】
したがって、本発明には次の実施態様が含まれる。
【００１７】
▲１▼ポ−タブルトイレ用フレ−ムの座部を側面視逆Ｌ字状便座支持フレ−ムで構成し、該便座支持フレ−ムの逆Ｌ字横部を、有孔平板とすると共に該立部を、４節平行リンク機構の後辺リンクとし、該平板の孔にバケツおよびその周辺に便座を設け、更に、該平板に肘掛けおよび背もたれを一体に立設したもの。
【００１８】
▲２▼座部の水平上昇位置を座位の使用者の足が床面から離れる位置の近傍としたもの。
【００１９】
【発明の実施の形態】
本発明を添付図面に示す実施例により詳細に述べる。
【００２０】
図１は本発明の実施例の要部分解斜視図、図２は図１の実施例の他の部分の分解斜視図、図３は図１の説明図であって、図４に示す従来例と同一部分はその説明を簡略化する。
【００２１】
本発明の実施例の下部囲い式椅子型ポ−タブルトイレ１は、その下部をプラスチック製筒体２（図２参照）で囲いながら、小形アクチュエ−タ−３により、座部５を持上げた後、前傾できるようにして、関節抱縮や痛みのある使用者や、足腰の弱い老人や怪我人等の使用者に対し介助を行うようにしたものである。
【００２２】
特に、当該使用者が用便後、立上る際、この初期動作として尻を預けている座部５を、水平状で且つ若干前進させるように、すなわち、前方へせり出すようにして持上げた後、該座部５を前傾にして背もたれ１９と共に使用者を押し出す作動を行うようにしている。
【００２３】
次に、かかる作動機構について概説する。
【００２４】
本実施例の下部囲い式椅子型ポ−タブルトイレ１のフレ−ム、すなわち、ポ−タブルトイレに付加するフレ−ムは、脚部４と座部５とから構成し、これらの間に、小形アクチュエ−タ−３により作動する４節回転機構（周知のように、これはリンク装置の基本原形であって、４つのリンクを回り対偶、つまりピン結合により環状に組合せた機構で、前掲の４節不等辺リンク機構も含まれる）を介在させており、特に、この４節回転機構に、相対する２組のリンクが平行４辺形を形成する、いわゆる４節平行リンク機構６を採択して、床に平行な底辺リンク７を固定側ないし規制側とし、該底辺リンク７以外の他リンクを、伸縮する小形アクチュエ−タ−３により揺動させると、底辺リンク７に対抗する上辺リンク８が底辺リンク７と平行して運動し、かつ、上下動することから、この上辺リンク８側を座部５に構成すると、座部５は水平状態を保ちながら前進し、かつ、上昇する。
【００２５】
そして、座部５が所定の位置近傍（例えば、座位の使用者の足が床から離れない高さ）に上昇すると、その途中から、この４節平行リンク機構６の全体つまりユニットを前傾（前とは背もたれ側を後としたもので、この前後に対し両側を左右とし、したがって、前傾とは前方下向をいう）させると座部５は前傾する。
【００２６】
したがって、この座部５は、いきなり前傾するのではなく、図４のものに対し、上昇という行程を付加して前傾するから、小形アクチュエ−タ−３の同じ作動スピ−ドに対し、スロ−モ−ション化する。勿論、４節平行リンク機構６による座部５の昇降のみで、前傾がなければ、かかる効果はない。
【００２７】
すなわち、この４節平行リンク機構６を、特に、その前辺リンク１０の下部を延長して回動自在に支持し、底辺リンク７を、水平のみと、これに前方に続く前傾のみのガイド１１とで案内するようにし、しかも、例えば、不図示であるが前辺リンク１０および後辺リンク１２を後傾状態にする。
【００２８】
そこで、後辺リンク１２（または他の部材）に、小形アクチュエ−タ−３の伸び作動を伝達すると、後辺リンク１２の下部は水平のガイド１１に規制されて前進のみを行うが、その上部は前進しながら上昇する。すなわち、上辺リンク１０は水平状態で上昇しながら前進する。
【００２９】
次いで、底辺リンク７が前傾のガイド１１に入り規制されると、前傾状態で前進のみするから、４節平行リンク機構ユニットが前傾して底辺リンク７の後部が上り、ひいては、前辺リンク１０が前傾する。したがって、４節平行リンク機構６のユニットが前傾姿勢となる。
【００３０】
次に、この４節平行リンク機構６の前傾装置の具体例を、下部囲い式椅子型ポ−タブルトイレ１と共に説明する。
【００３１】
この４節平行リンク機構６は左右１対に構成し（したがって、以下、片側のみを述べる）、前辺リンク１０を、脚部４の一部を構成するＬ字状フレ−ム１３のＬ字立部で構成し、また、後辺リンク１２を、座部５の一部を構成する側面視逆Ｌ字状便座支持フレ−ム１４の逆Ｌ字立部で構成して、これらを組合せて、側面視略４角枠にする。つまり、箱体に構成する。
【００３２】
したがって、このＬ字状フレ−ム１３の立部と側面視逆Ｌ字状便座支持フレ−ム１４の立部とは、通常の状態で垂直状に平行になっていて、前辺リンク１０と後辺リンク１２とを構成している。そして、当然、底辺リンク７と上辺リンク８とは水平状に平行になっている。
【００３３】
このＬ字状フレ−ム１３の屈曲部近傍を、脚部４の他の一部を構成し、ポ−タブルトイレ用フレ−ム全体を支持する作動しないベ−スフレ−ム１５の前方で、回転自在に支持する。また、Ｌ字状フレ−ム１３の横部に、後方から水平ガイドスリット１１Ａとこれに続く前傾ガイドスリット１１Ｂとを形成する。
【００３４】
これらの左右１対のガイド１１には、１本の棒体からなる水平状のスライドバ−１６を貫通して架設する。
【００３５】
一方、前記ベ−スフレ−ム１５は平面視で４角枠状に構成されていて、その左右面には、前記ガイド１１の前後方向の案内長さと略同じ長さで水平にベ−スガイドスリット１７を形成して、これらのベ−スガイドスリット１７に、ガイド１１に架設したスライドバ−１６の左右端部を架設する。
【００３６】
そして特に、このスライドバ−１６の端部と、底辺リンク７の略中間部とを取付位置変更自在の連結リンク１８で連結すると、このスライドバ−１６は水平および前傾ガイドスリット１１Ａ、１１Ｂとベ−スガイドスリット１７とで案内・規制されるので、底辺リンク７は４節平行リンク機構６における固定側リンクないし制御側リンクに構成することができる。
【００３７】
また、前記ベ−スフレ−ム１５の後部左右略中間には、小形（電動）アクチュエ−タ−３を立設し、これを側面視逆Ｌ字状便座支持フレ−ム１４の後部に連結して小形アクチュエ−タ−３の伸び作動を、上方かつ、やや前方に伝達する。
【００３８】
したがって、下辺リンク７が制御リンクになっているので、小形アクチュエ−タ−３が伸び作動すると、側面視逆Ｌ字状便座支持フレ−ム１４は、水平状態を保持して、やや前進しながら上昇する。
【００３９】
次いで、スライドバ−１６が更に前進して前傾ガイドスリット１１Ｂへ入り案内されると、Ｌ字状フレ−ム１３は、ベ−スフレ−ム１５で支持された支点を中心に前方へ回動するので、底辺リンク７の後部が上りながら前進して、４節平行リンク機構６ユニットが前傾姿勢となる。
【００４０】
したがって、側面視逆Ｌ字状便座支持フレ−ム１４は水平から前傾の姿勢となり、しかも、この側面視逆Ｌ字状便座支持フレ−ム１４に設けた背もたれ１９が前倒しとなって、着座している使用者を押し出すようになる。勿論、小形アクチュエ−タ−３を縮み作動させると、座部５は初期の状態に戻る。
【００４１】
次に、以上の下部囲い式椅子型ポ−タブルトイレ１の細部を説明する。
【００４２】
先ず、側面視逆Ｌ字状便座支持フレ−ム１４は合成樹脂製であって、その逆Ｌ字横部を、中央に大きく開口した４辺状の平板２０で構成し、その後方に左右１対の後辺リンク１２たる逆Ｌ字立部を一体成形する。
【００４３】
この平板２０上に、汚物入れ用バケツ２１を着脱自在に装着する受け板２２を取付け、この受け板２２に便座２３および、不図示のスライドリンクを介して蓋体を兼ねる座板２４を取付ける。
【００４４】
また、この平板２０の両側には、高さ調節自在の足をもつ肘掛け２５を立設する。この肘掛け２５の１つの前端にアクチュエ−タ−用スイッチ２６を設けて、使用者が用便後容易にスイッチ操作をするようにしている。
【００４５】
また、この平板２０の後部には、足のある背もたれ１９を平板２０に略直交して立設している。したがって、平板２０が水平状態から前傾状態になると、背もたれ１９は前かがみとなって使用者の尻ないし背部を押し出す。
【００４６】
次に、Ｌ字状フレ−ム１３は合成樹脂製であって、左右１対のこのフレ−ムは、そのＬ字立部の上方を連結板２７により一体にしている。
【００４７】
したがって、このＬ字状フレ−ム１３や側面視逆Ｌ字状フレ−ム１４は、合成樹脂射出成形品で平板２０を天板とする４角箱状に強固に一体化することができ、下部囲い式椅子型ポ−タブルトイレ１のフレ−ムとして、鋼管等を用いたパイプフレ−ムと違い、好都合となる。勿論、木製や金属製であってもよいが、高価となる。
【００４８】
次に、ベ−スフレ−ム１５は帯状の合成樹脂製板を４角枠状に構成し、そのコ−ナ内側にそれぞれ高さ調節用アジャスタ−２８を設けて、便座２３の高さを調節できるようにすると共に、ポ−タブルトイレ自体の妄動を防いでいる。
【００４９】
次に、本発明の特徴の１つである下部囲い式について述べる。
【００５０】
本発明は下部囲い式に構成しているので、機械力による介助・支援する部材を目視困難に覆っており、その反面、その作動機構が大きく制約される。例えば、アクチュエ−タ−を小形のもの１個を使用することになる。
【００５１】
さて、通常、ポ−タブルトイレは便座から下の部分、つまり、下部を囲って、例えば家具調の特色を出しているが、本実施例の下部囲い式では、プラスチック製筒体２を用い、４角筒状本体上部カバ−２Ａと４角筒状の本体下部カバ−２Ｂとに分けている。勿論、この筒体２は木製調合板にするとよい。
【００５２】
本体上部カバ−２Ａは、主として脚部４側全体を略囲っていて、しかも、本体上部カバ−２Ａは本体下部カバ−２Ｂをも覆うように大きく形成している。本体下部カバ−２Ｂはベ−スフレ−ム１５を囲っている。
【００５３】
以上のような下部囲い式椅子型ポ−タブルトイレ１であるから、図３（Ａ）図における用便後、便座２３を低い位置から上昇させる場合、スイッチを操作して小形アクチュエ−タ−３を伸び作動させると、座部５はまず水平状態のまま上昇しながらやや前方に押し出される（図３（Ｂ））。
【００５４】
この時、Ｌ字状フレ−ム１３に設けた水平スリット１１Ａと、ベ−スフレ−ム１５に設けたベ−スガイドスリット１７との中でスライドバ−１６が前方へスライド移動する。このＬ字状フレ−ム１３には前方へ回動させるモ−メントが働いているが、固定されたベ−スフレ−ム１５により、この回動を規制されるのでユニットの前傾はない。
【００５５】
更に、小形アクチュエ−タ−３を伸び作動させると、図３（Ｃ）のようにスライドバ−１６がＬ字状フレ−ム１３に設けた水平スリット１１Ａから前傾スリット１１Ｂ内に入る。するとＬ字状フレ−ム１３がベ−スフレ−ム１５の支点を中心として前方に回転すると共に、座部５が前傾する。その結果、使用者はポ−タブルトイレから離れることができる。また、着座するときは、前記と逆の作動を行う。
【００５６】
そして、座部５が傾動し始める便座２３の上面の高さは、使用者の足が床から離れない高さが良く、足が床から離れると、前傾したとき使用者は恐怖感を抱くことがある。
【００５７】
したがって、一般的には、４０ｃｍ程度が好ましいが、使用者の体格や脚力に合わせて、アジャスタ−２８を調整したり連結リンク１８の底辺リンク７への連結位置を変えることにより調整する。そして、傾動角度は大き過ぎると前のめりになり転倒の危険性があるため、１０〜２０°が好ましい。
【００５８】
なお、本実施例では、汚物入れ用バケツ２１が座部５と共に昇降する構成としたが、汚物入れ用バケツ２１をベ−スフレ−ム１５上に載置しておき、昇降しないようにしてもよいし、また、この箱状ポ−タブルトイレ用フレ−ムを背もたれのある据置き式洋式トイレの本体に適用してもよい。
【００５９】
勿論、本発明の４節平行リンク機構６には、単独の節を組合せた構成でもよいが、他の機構部材、例えば平板２０と兼用してもよい。
【００６０】
【発明の効果】
請求項１の発明によると、ポ−タブルトイレの座部をいきなり前傾させるのではなく、一旦若干上昇させながら前傾させるので、殊に、上昇と前進とを同時に合成させた後、前傾・やや前進させるので、小形アクチュエ−タ−による座部の小ストロ−クの作動がスロ−モ−ション化して、スム−スな起立支援を行うことができ、使用者の不安や恐怖を除き、介護機器として好都合にすることができる。
【００６１】
また、関節部分の痛みのある使用者等にとって用便後の初期動作支援に好都合となる。
【００６２】
請求項２の発明によると、前記の他、４節平行リンク機構ユニットの前傾運動を１個の小形アクチュエ−タ−により行うことができ、ひいては、ポ−タブルトイレ用フレ−ムとして好都合となる。
【００６３】
請求項３の発明によると、前記の他、背もたれによって行う、使用者に対する突き出し作用を緩衝化することができる。
【図面の簡単な説明】
【図１】本発明の実施例の要部分解斜視図である。
【図２】図１の実施例の他の部分の分解斜視図である。
【図３】図１の説明図である。
【図４】従来例である。
【符号の説明】
１…下部囲い式椅子型ポ−タブルトイレ、２…筒体、３…小形アクチュエ−タ−、４…脚部、５…座部、６…４節平行リンク機構、７…底辺リンク、８…上辺リンク
【図１】
2004105629.tif 000003
【図２】
2004105629.tif 000004
【図３】
2004105629.tif 000005
【図４】
2004105629.tif 000006